(57)【要約】【課題】電子鍵盤楽器において演奏者が押鍵したときに安定して反力を発生させられるようにすること、あるいは電子鍵盤楽器において演奏者が押鍵したときに安定して音を発せられるようにすること。【解決手段】反力発生装置は、回動支点を中心に回動するアクチュエータと、アクチュエータと接触する反力発生部材と、を有し、アクチュエータと反力発生部材とは、複数の接平面を有し、複数の接平面の少なくとも一つに回動支点が含まれる、ことを特徴とする。また、上記反力発生装置において、アクチュエータは、複数の接平面に対して接触したときの法線方向に移動してもよい。【選択図】図４
2018163258.tif 000002
【特許請求の範囲】
【請求項１】
回動支点を中心に回動するアクチュエータと、
前記アクチュエータと接触する反力発生部材と、
を有し、
前記アクチュエータと前記反力発生部材とは、複数の接平面を有し、
前記複数の接平面の少なくとも一つに前記回動支点が含まれる、
反力発生装置。
【請求項２】
前記アクチュエータは、前記複数の接平面に対して接触したときの法線方向に移動する、
請求項１に記載の反力発生装置。
【請求項３】
回動支点を中心に回動するアクチュエータと、
前記アクチュエータと少なくとも３つの接点を有する反力発生部材と、
を有し、
前記３つの接点を含む面は、前記回動支点を含む、
反力発生装置。
【請求項４】
前記アクチュエータは、前記３つの接点を含む面に対して接触したときの法線方向に移動する、
請求項３に記載の反力発生装置。
【請求項５】
前記反力発生部材は、前記アクチュエータの押圧に応じて変形可能であり、復元力を有する、
請求項１乃至４のいずれか一に記載の反力発生装置。
【請求項６】
前記アクチュエータおよび前記反力発生部材の少なくとも一方は、複数の凸部を有し、前記複数の凸部は、前記アクチュエータおよび前記反力発生部材の他方と接触する、
請求項１乃至５のいずれか一に記載の反力発生装置。
【請求項７】
前記反力発生装置は、スイッチング装置である、
請求項１乃至６のいずれか一に記載の反力発生装置。
【請求項８】
鍵と、
請求項１乃至６のいずれか一に記載の反力発生装置と、を有し、
前記アクチュエータは、ハンマの一部である、
鍵盤装置。
【請求項９】
鍵と、
請求項１乃至６のいずれか一に記載の反力発生装置と、
を有し、
前記アクチュエータは、鍵の一部である、
鍵盤装置。
【発明の詳細な説明】
【技術分野】
【０００１】
本発明は、反力発生装置および鍵盤装置に関する。
【背景技術】
【０００２】
アコースティックピアノにおいては、アクション機構の動作により、鍵を通して演奏者の指に所定の感覚（以下、タッチ感という）を与える。アコースティックピアノにおいては、ハンマでの押鍵のためにアクション機構を必要とする。一方、電子鍵盤楽器においては、センサにより押鍵を検出するため、アコースティックピアノのようなアクション機構を有しなくても発音が可能である。アクション機構を用いない電子鍵盤楽器および簡易的なアクション機構を用いた電子鍵盤楽器のタッチ感は、アコースティックピアノのタッチ感に対して大きく変わってしまう。そこで、電子鍵盤楽器において、少しでもアコースティックピアノに近いタッチ感を得るために、アコースティックピアノにおけるハンマに相当する機構を設ける技術が開示されている（例えば、特許文献１）。
【先行技術文献】
【特許文献】
【０００３】
【特許文献１】特開２００４−２２６６８７号公報
【発明の概要】
【発明が解決しようとする課題】
【０００４】
この場合、演奏者の押鍵動作に合わせてハンマが動き、センサが押されることで、音が発せられる。このとき、鍵に対して常に垂直方向に力が加わればよいが、演奏者から遠い位置にある鍵の場合または強く押鍵した場合など、必ずしも垂直方向にのみ力が加わるとは限らず、演奏者から見て鍵の長手方向（縦方向または前後方向）にも力が加わる場合がある。このような状態を分力が生じるという場合がある。この場合、長手方向に働く力は、ずれにより生じる力であり、せん断応力（またはずれ応力）とも呼ばれる。このせん断応力により、センサが安定して動作せず、発音不良が生じる恐れがある。また、上記問題はハンマがセンサを押下しない（またはハンマを用いない）鍵盤装置において、鍵が直接センサを押す場合においても発生する恐れがあり、発音不良が生じやすくなる。また、上記問題は、鍵盤装置におけるセンサに限らず、センサを有しない反力（反発力）を必要とする部材においても発生してしまう。
【０００５】
したがって、本発明の目的の一つは、電子鍵盤楽器において演奏者が押鍵したときに安定して反力を発生させられるようにすることにある。また、本発明の目的の一つは、電子鍵盤楽器において演奏者が押鍵したときに安定して音を発せられるようにすることにある。
【課題を解決するための手段】
【０００６】
本発明の実施形態によると、回動支点を中心に回動するアクチュエータと、アクチュエータと接触する反力発生部材と、を有し、アクチュエータと反力発生部材とは、複数の接平面を有し、複数の接平面の少なくとも一つに回動支点が含まれる、反力発生装置が提供される。
【０００７】
上記反力発生装置において、アクチュエータは、複数の接平面に対して接触したときの法線方向に移動してもよい。
【０００８】
本発明の実施形態によると、回動支点を中心に回動するアクチュエータと、アクチュエータと少なくとも３つの接点を有する反力発生部材と、を有し、３つの接点を含む面は、回動支点を含む、反力発生装置が提供される。
【０００９】
上記反力発生装置において、アクチュエータは、３つの接点を含む面に対して接触したときの法線方向に移動してもよい。
【００１０】
上記反力発生装置において、反力発生部材は、アクチュエータの押圧に応じて変形可能であり、復元力を有してもよい。
【００１１】
上記反力発生装置において、アクチュエータおよび反力発生部材の少なくとも一方は、少なくともいずれかの接触面は、複数の凸部を有し、複数の凸部は、アクチュエータおよび反力発生部材の他方と接触してもよい。
【００１２】
上記反力発生装置は、スイッチング装置であってもよい。
【００１３】
本発明の実施形態によると、鍵と、上記反力発生装置とを、有し、アクチュエータは、ハンマ本体部の一部である、鍵盤装置が提供される。
【００１４】
本発明の実施形態によると、鍵と、上記反力発生装置とを、有し、アクチュエータは、鍵の一部である、鍵盤装置が提供される。
【発明の効果】
【００１５】
本発明によれば、電子鍵盤楽器において演奏者が押鍵したときに安定して反力を発生させられるようにすることができる。また、本発明によれば、電子鍵盤楽器において演奏者が押鍵したときに安定して音を発せられるようにすることができる。
【図面の簡単な説明】
【００１６】
【図１】第１実施形態における鍵盤装置の構成を示す図である。
【図２】第１実施形態における音源装置の構成を示すブロック図である。
【図３】第１実施形態における筐体内部の構成を鍵盤側面から見た場合の説明図である。
【図４】第１実施形態における鍵側面から見た場合のハンマ側負荷部と上部電極支持部が接触した時の反力発生装置の説明図である。
【図５】第１実施形態における鍵側面から見た場合のハンマ側負荷部と上部電極支持部が接触した時の反力発生装置の説明図の拡大図である。
【図６】第１実施形態における鍵側面から見た場合のハンマ側負荷部が上部電極上部電極支持部を押下した時の反力発生装置の説明図である。
【図７】第１実施形態における鍵前端側から見た場合の反力発生装置の説明図である。
【図８】第１実施形態における鍵（白鍵）を押下したときの鍵アセンブリの動作を説明する図である。
【図９】第２実施形態における鍵側面から見た場合のハンマ側負荷部と上部電極支持部が当接した時の反力発生装置の説明図である。
【図１０】第２実施形態における鍵側面から見た場合のハンマ側負荷部と上部電極支持部とが当接した時の反力発生装置の説明図の拡大図である。
【図１１】第３実施形態における鍵側面から見た場合のハンマ側負荷部と上部電極支持部とが当接した時の反力発生装置の説明図の拡大図である。
【図１２】第１実施形態における鍵前端側から見た場合の反力発生装置の変形例を示す説明図である。
【図１３】第１実施形態における鍵側面から見た場合の反力発生装置の変形例を示す説明図である。
【発明を実施するための形態】
【００１７】
以下、本発明の一実施形態における鍵盤装置について、図面を参照しながら詳細に説明する。以下に示す実施形態は本発明の実施形態の一例であって、本発明はこれらの実施形態に限定して解釈されるものではない。なお、本実施形態で参照する図面において、同一部分または同様な機能を有する部分には同一の符号または類似の符号を付し、（例えば、ｘｘｘ−１、ｘｘｘ−２など）その繰り返しの説明は省略する場合がある。また、図面の寸法比率（各構成間の比率、縦横高さ方向の比率等）は説明の都合上実際の比率とは異なったり、構成の一部が図面から省略されたりする場合がある。
【００１８】
＜第１実施形態＞
（１−１．鍵盤装置の構成）
図１は、第１実施形態における鍵盤装置の構成を示す図である。鍵盤装置１は、この例では、電子ピアノなどユーザ（演奏者）の押鍵に応じて発音する電子鍵盤楽器である。なお、鍵盤装置１は、外部の音源装置を制御するための制御データ（例えば、ＭＩＤＩ）を、押鍵に応じて出力する鍵盤型のコントローラであってもよい。この場合には、鍵盤装置１は、音源装置を備えていなくてもよい。
【００１９】
鍵盤装置１は、鍵盤アセンブリ１０を備える。鍵盤アセンブリ１０は、白鍵１００ｗおよび黒鍵１００ｂを含む。複数の白鍵１００ｗと黒鍵１００ｂとが並んで配列されている。鍵１００の数は、Ｎ個であり、この例では８８個である。この配列された方向をスケール方向という（鍵側面方向またはＤ２方向という場合がある）。白鍵１００ｗおよび黒鍵１００ｂを特に区別せずに説明できる場合には、鍵１００という場合がある。なお、鍵１００の長手方向は、Ｄ１方向という場合がある。以下の説明においても、符号の最後に「ｗ」を付した場合には、白鍵に対応する構成であることを意味している。また、符号の最後に「ｂ」を付した場合には、黒鍵に対応する構成であることを意味している。
【００２０】
鍵盤アセンブリ１０の一部は、筐体９０の内部に存在している。鍵盤装置１を上方から見た場合において、鍵盤アセンブリ１０のうち筐体９０に覆われている部分を非外観部ＮＶといい、筐体９０から露出してユーザから視認できる部分を外観部ＰＶという。すなわち、外観部ＰＶは、鍵１００の一部であって、ユーザによって演奏操作が可能な領域を示す。以下、鍵１００のうち外観部ＰＶによって露出されている部分を鍵本体部という場合がある。
【００２１】
筐体９０内部には、音源装置７０およびスピーカ８０が配置されている。音源装置７０は、鍵１００の押下に伴って音波形信号を生成する。スピーカ８０は、音源装置７０において生成された音波形信号を外部の空間に出力する。なお、鍵盤装置１は、音量をコントロールするためのスライダ、音色を切り替えるためのスイッチ、様々な情報を表示するディスプレイなどが備えられていてもよい。
【００２２】
なお、本明細書における説明において、上、下、左、右、手前および奥などの方向は、演奏するときの演奏者から鍵盤装置１を見た場合の方向を示している。そのため、例えば、非外観部ＮＶは、外観部ＰＶよりも奥側に位置している、と表現することができる。また、鍵前端側（鍵前方側）、鍵後端側（鍵後方側）のように、鍵１００を基準として方向を示す場合もある。この場合、鍵前端側は鍵１００に対して演奏者から見た手前側を示す。鍵後端側は鍵１００に対して演奏者から見た奥側を示す。この定義によれば、黒鍵１００ｂのうち、黒鍵１００ｂの鍵本体部の前端から後端までが、白鍵１００ｗよりも上方に突出した部分である、と表現することができる。
【００２３】
図２は、第１実施形態における音源装置の構成を示すブロック図である。音源装置７０は、信号変換部７１０、音源部７３０および出力部７５０を備える。センサ３００は、各鍵１００に対応して設けられ、鍵の操作を検出し、検出した内容に応じた信号を出力する。この例では、センサ３００は、３段階の押鍵量に応じて信号を出力する。この信号の間隔に応じて押鍵速度が検出可能である。
【００２４】
信号変換部７１０は、センサ３００（８８個の鍵１００に対応したセンサ３００−１、３００−２、・・・、３００−８８）の出力信号を取得し、各鍵１００における操作状態に応じた操作信号を生成して出力する。この例では、操作信号はＭＩＤＩ形式の信号である。そのため、押鍵操作に応じて、信号変換部７１０はノートオンを出力する。このとき、８８個の鍵１００のいずれが操作されたかを示すキーナンバ、および押鍵速度に対応するベロシティについてもノートオンに対応付けて出力される。一方、離鍵操作に応じて、信号変換部７１０はキーナンバとノートオフとを対応付けて出力する。信号変換部７１０には、ペダル等の他の操作に応じた信号が入力され、操作信号に反映されてもよい。
【００２５】
音源部７３０は、信号変換部７１０から出力された操作信号に基づいて、音波形信号を生成する。出力部７５０は、音源部７３０によって生成された音波形信号を出力する。この音波形信号は、例えば、スピーカ８０または音波形信号出力端子などに出力される。鍵盤アセンブリ１０の構成について、以下において説明する。
【００２６】
（１−２．鍵盤アセンブリの構成）
図３は、第１実施形態における筐体内部の構成を鍵盤側面方向から見た場合の説明図である。図３に示すように、筐体９０の内部において、鍵盤アセンブリ１０およびスピーカ８０が配置されている。すなわち、筐体９０は、少なくとも、鍵盤アセンブリ１０の一部（接続部１８０およびフレーム５００）およびスピーカ８０を覆っている。スピーカ８０は、鍵盤アセンブリ１０の奥側に配置されている。このスピーカ８０は、押鍵に応じた音を筐体９０の上方および下方に向けて出力するように配置されている。下方に出力される音は、筐体９０の下面側から外部に進む。一方、上方に出力される音は筐体９０の内部から鍵盤アセンブリ１０の内部の空間を通過して、外観部ＰＶにおける鍵１００の隣接間の隙間または鍵１００と筐体９０との隙間から外部に進む。なお、鍵盤アセンブリ１０の内部の空間、すなわち鍵１００（鍵本体部）の下方側の空間に到達する、スピーカ８０からの音の経路は、経路ＳＲとして例示されている。
【００２７】
鍵盤アセンブリ１０は、上述した鍵１００の他にも、接続部１８０、ハンマアセンブリ２００およびフレーム５００を含む。鍵盤アセンブリ１０は、ほとんどの構成が射出成形などによって製造された樹脂製の構造体である。フレーム５００は、筐体９０に固定されている。接続部１８０は、フレーム５００に対して回動可能に鍵１００を接続する。接続部１８０は、板状可撓性部材１８１、鍵側支持部１８３および棒状可撓性部材１８５を備える。板状可撓性部材１８１は、鍵１００の後端から延在している。鍵側支持部１８３は、板状可撓性部材１８１の後端から延在している。棒状可撓性部材１８５が、鍵側支持部１８３およびフレーム５００のフレーム側支持部５８５によって支持されている。すなわち、鍵１００とフレーム５００との間に、棒状可撓性部材１８５が配置されている。棒状可撓性部材１８５が曲がることによって、鍵１００がフレーム５００に対して回動することができる。棒状可撓性部材１８５は、鍵側支持部１８３とフレーム側支持部５８５とに対して、着脱可能に構成されている。なお、棒状可撓性部材１８５は、鍵側支持部１８３とフレーム側支持部５８５と一体となって、または接着等により、着脱できない構成であってもよい。
【００２８】
鍵１００は、前端鍵ガイド１５１および側面鍵ガイド１５３を備える。前端鍵ガイド１５１は、フレーム５００の前端フレームガイド５１１を覆った状態で摺動可能に接触している。前端鍵ガイド１５１は、その上部と下部のスケール方向の両側において、前端フレームガイド５１１と接触している。側面鍵ガイド１５３は、スケール方向の両側において側面フレームガイド５１３と摺動可能に接触している。この例では、側面鍵ガイド１５３は、鍵１００の側面のうち非外観部ＮＶに対応する領域に配置され、接続部１８０（板状可撓性部材１８１）よりも鍵前端側に存在するが、外観部ＰＶに対応する領域に配置されてもよい。
【００２９】
また、鍵１００は、外観部ＰＶの下方において鍵側負荷部１２０に接続されている。鍵側負荷部１２０は、鍵１００が回動するときに、ハンマアセンブリ２００を回動させるように、ハンマアセンブリ２００に接続される。
【００３０】
ハンマアセンブリ２００は、鍵１００の下方側の空間に配置され、フレーム５００に対して回動可能に取り付けられている。ハンマアセンブリ２００は、鍵前端方向（図３に示すＤ１方向）に長手を有する。ハンマアセンブリ２００は、錘部２３０およびハンマ本体部２５０を備える。ハンマ本体部２５０には、フレーム５００の回動軸５２０の軸受となる軸支持部２２０が配置されている。軸支持部２２０とフレーム５００の回動軸５２０とは少なくとも３点で摺動可能に当接する。回動支点５２１は、回動軸５２０の中心部に設けられる。ハンマ本体部２５０部を含むハンマアセンブリ２００は、回動支点５２１を中心に回動する。
【００３１】
ハンマ側負荷部２１０は、ハンマ本体部２５０の前端部に接続されている。ハンマ側負荷部２１０は、鍵側負荷部１２０の内部において概ね前後方向に摺動可能且つ当接する部分を備える。ハンマ側負荷部２１０にはプラスチックなどの樹脂材料が用いられる。この接触部分にはグリース等の潤滑材が配置されていてもよい。ハンマ側負荷部２１０と鍵側負荷部１２０（以下の説明において、これらをまとめて「負荷発生部」という場合がある）とは、互いに摺動することで押鍵時の負荷の一部を発生する。負荷発生部は、この例では外観部ＰＶ（鍵本体部の後端よりも前方）における鍵１００の下方に位置する。
【００３２】
錘部２３０は、金属製の錘を含み、ハンマ本体部２５０の後端部（回動軸よりも奥側）に接続されている。通常時（押鍵していないとき）には、錘部２３０が下側ストッパ４１０に載置された状態になる。これによって、鍵１００はレスト位置で安定する。押鍵されると、錘部２３０が上方に移動し、上側ストッパ４３０に衝突する。これによって鍵１００の最大押鍵量となるエンド位置が規定される。この錘部２３０によっても、押鍵に対して負荷を与える。下側ストッパ４１０および上側ストッパ４３０は、緩衝材等（不織布、弾性体等）で形成されている。
【００３３】
負荷発生部の下方において、フレーム５００にセンサ３００が取り付けられている。押鍵によりハンマ側負荷部２１０でセンサ３００が押しつぶされると、センサ３００は検出信号を出力する。上述において、ハンマ側負荷部２１０は、アクチュエータの一つとして機能する。このとき、押しつぶされたセンサ３００は復元力によって元の形状に戻ろうとするため、ハンマ側負荷部２１０に対して反力を与える。したがって、ハンマ側負荷部２１０、鍵側負荷部１２０およびセンサ３００を合わせて反力発生装置５０という場合がある。このとき、センサ３００は反力発生部材という場合がある。また、後述するように、センサ３００のように電極を有してスイッチング動作を行う場合、反力発生装置５０は、スイッチング装置ということができる。反力発生装置５０の構成について以下に詳述する。
【００３４】
（１−３．反力発生装置の構成）
図４乃至６に鍵１００が押された時の鍵側面方向（スケール方向またはＤ２方向）から見た反力発生装置５０の断面図を示す。図４は、ハンマ側負荷部２１０と上部電極支持部３３０が接触したときの断面図を示す。図５は、図４における領域Ａ１の拡大図である。図６は、ハンマ側負荷部２１０と上部電極支持部３３０とが、ともに回動し、センサ３００が押し下げられた後の断面図を示す。なお、詳細は後述するが、センサ３００には、上部電極３１０、上部電極支持部３３０および変形部３４０が含まれている。
【００３５】
例えば、図４および図５において、センサ３００はハンマ側負荷部２１０の回動範囲に設けられる。このとき、ハンマ側負荷部２１０が回動することにより、ハンマ側負荷部２１０とセンサ３００とが接触する。具体的には、ハンマ側負荷部２１０には複数の凸部２７０が設けられ、センサ３００には上部電極支持部３３０が設けられる。なお、凸部２７０は先端部２７０Ａにおいて、丸みを有してもよい。また、この例では、凸部２７０−１および凸部２７０−２は、同一形状を有している。上述より、複数の凸部２７０と上部電極支持部３３０とが接触することとなる。より具体的には、複数の凸部２７０の先端部２７０Ａと上部電極支持部３３０の上面３３０Ａとが接触する。なお、複数の凸部２７０（先端部２７０Ａ）と上部電極支持部３３０（上面３３０Ａ）とが接触したときの平面を接平面３３３という。つまり、複数の凸部２７０の一（凸部２７０−１）は、上部電極支持部３３０と接し、接平面３３３（接平面３３３−１）を有する。また、同様にして、複数の凸部２７０の他の一（凸部２７０−２）は、上部電極支持部３３０と接し、接平面３３３（接平面３３３−２）を有する。したがって、ハンマ側負荷部２１０は、上部電極支持部３３０との間に、複数の接平面３３３を有するということができる。なお、この例では、接平面３３３−１と接平面３３３−２とは同一の形状を有する。また、複数の接平面３３３のうち少なくとも一つには、回動支点５２１が含まれる。
【００３６】
ハンマ側負荷部２１０は、回動しながら変形部３４０を変形させながら上部電極支持部３３０および上部電極３１０を押し下げる。このとき、ハンマ側負荷部２１０は、複数の凸部２７０と上部電極支持部３３０の上面３３０Ａとが接触しているときの複数の接平面３３３に対して法線方向Ｎ１に移動する。これにより、アクチュエータとして機能するハンマ側負荷部２１０がセンサ（上部電極支持部３３０および上部電極３１０）を押下する際に、鍵１００の長手方向（せん断応力の働く方向）への分力が生じない、または分力が抑えられる。このため、ハンマ側負荷部２１０は、回動しながら接平面３３３に対して常に垂直（法線方向）に移動する。つまり、上部電極支持部３３０および上部電極３１０の位置ずれが抑えられる。したがって、図６に示すように、鍵１００を押下したときに、上部電極３１０と、下部電極３２０とが当接しやすくなる。また、変形部３４０が安定した動作をするため、センサ３００に局所的な力（偏荷重という場合がある）が加わることが防止され、センサ３００の耐久性が向上する。
【００３７】
以下において、反力発生装置５０の各部材について説明する。図７は、図４の反力発生装置５０を鍵前端側（鍵前方側）、つまり鍵の長手方向（Ｄ１方向）から見た時の断面図を示す。
【００３８】
センサ３００は、上部電極３１０、下部電極３２０、上部電極支持部３３０、変形部３４０および下部電極支持部３５０を備える。
【００３９】
上部電極３１０は、上部電極支持部３３０の下面３３０Ｂに設けられる。上部電極３１０は、弾性体で形成される。上部電極３１０の先端には導電部３１０Ａが設けられる。この例では、上部電極３１０には、成型加工されたシリコンゴムが用いられ、導電部３１０Ａには導電体として導電性カーボンブラックが用いられる。
【００４０】
下部電極３２０は、上部電極３１０に対向するように、下部電極支持部３５０の上面側に配置される。下部電極３２０は、導電体を含む。例えば、下部電極３２０には、金、銀、銅、白金などの金属材料、または導電性のカーボンブラックなどの導電樹脂が用いられる。また、下部電極３２０は、ハンマ側負荷部２１０の回動範囲に配置される。なお、図示しないが下部電極３２０は、第１下部電極および第２下部電極を含む。第１下部電極は、信号線に接続される。第２下部電極は、ＧＮＤ線に接続される。第１下部電極と第２下部電極とが上部電極３１０により電気的に接続されると、検出信号が出力される。第１下部電極および第２下部電極は隣接し、交互に配置される。
【００４１】
変形部３４０は、上部電極支持部３３０と、下部電極支持部３５０とを接続するように配置される。変形部３４０は、上部電極支持部３３０の端部３３１Ａおよび上部電極支持部３３０の端部３３１Ｂと接続される。この例では、変形部３４０は、接続部３４０Ａおよび接続部３４０Ｂで下部電極支持部３５０と直接固定されている。なお、変形部３４０は、別の部材を介して下部電極支持部３５０と間接的に固定されてもよい。接続部３４０Ａは、上部電極支持部３３０の端部３３１Ａよりも、外側且つ下に配置されている。同様に、接続部３４０Ｂは、上部電極支持部３３０の端部３３１Ｂよりも、外側且つ下に配置されている。なお、変形部３４０が他の部材に固定されている場合、変形部３４０は、下部電極支持部３５０と固定されなくてもよい。また、変形部３４０は、弾性力を有する。これにより、変形部３４０は、ハンマ側負荷部２１０の回動（押圧動作）に応じて変形することができる。また、変形部３４０が変形することにより、上部電極３１０および上部電極支持部３３０は上下方向に移動可能となる。このため、上部電極３１０と下部電極３２０との距離は可変である。また、変形部３４０は弾性力を有することにより、ハンマ側負荷部２１０により押圧から解放された場合に、元の位置に復元することができる。この例では、変形部３４０には、成形加工されたシリコンゴムが用いられる。
【００４２】
上部電極支持部３３０は、ハンマ側負荷部２１０に対向して配置される。図７において、上部電極支持部３３０の上面３３０Ａは、平坦な面を有する。なお、上面３３０Ａは、上部電極３１０の形状に応じて、凹みを有しても良い。上部電極支持部３３０は、上部電極３１０および変形部３４０と一体で加工成形できるように、シリコンゴムが用いられる。なお、導電部３１０Ａを除く上部電極３１０と、上部電極支持部３３０と、変形部３４０とを合わせて反力発生部材という場合がある。このとき、上部電極支持部３３０は、反力発生部材の上面部という場合がある。反力発生また、上部電極支持部３３０には、潤滑材が適宜設けられてもよい。
【００４３】
下部電極支持部３５０は、下部電極３２０とともに、別の部材として設けられる。たとえば、下部電極支持部３５０は、プリント基板として設けられ、下部電極３２０は、プリント基板上に形成された電極でもよい。下部電極支持部３５０は、基材という場合がある。また、下部電極３２０は、検出部という場合がある。下部電極３２０および下部電極支持部３５０を合わせて、回路基板という場合がある。
【００４４】
ハンマ側負荷部２１０には、上部電極支持部３３０よりも固い材料が用いられる。例えば、ハンマ側負荷部２１０にはプラスチックなどの樹脂材料が用いられる。
【００４５】
また、センサ３００の上部電極支持部３３０は、図４に示したように、鍵側面方向（Ｄ２方向）から見たときにハンマ側負荷部２１０を含むハンマ本体部２５０は、下部電極支持部３５０に対して傾斜して配置されている。なお、上部電極支持部３３０は、必ずしも傾斜する必要はなく、ハンマ側負荷部２１０の複数の凸部２７０が、上部電極支持部３３０が同時に接触することができるように配置されていればよい。また、上部電極３１０は、３つ配置されているが、この数に限定されない。
【００４６】
また、図４に示したように、鍵側面方向（Ｄ２方向）から見たときに上部電極３１０に合わせて下部電極３２０が配置されている。３つの上部電極３１０は、それぞれ下部電極３２０までの距離が異なる。３つの上部電極３１０のうち少なくともいずれかが下部電極３２０と接続されることで、検出信号が出力される。
【００４７】
（１−４．鍵盤アセンブリの動作）
図８は、鍵（白鍵）を押下したときの鍵アセンブリの動作を説明する図である。図８（Ａ）は、鍵１００がレスト位置（押鍵していない状態）にある場合の図である。図８（Ｂ）は、鍵１００がエンド位置（最後まで押鍵した状態）にある場合の図である。鍵１００が押下されると、棒状可撓性部材１８５が回動中心となって曲がる。このとき、棒状可撓性部材１８５は、鍵１００の前方（手前方向）への曲げ変形が生じているが、側面鍵ガイド１５３による前後方向の移動の規制によって、鍵１００は前方に移動するのではなく鍵１００の法線方向（Ｄ３方向）に回動するようになる。そして、鍵側負荷部１２０がハンマ側負荷部２１０を押し下げることで、ハンマアセンブリ２００が回動支点５２１を中心に回動する。
【００４８】
さらに、錘部２３０が上側ストッパ４３０に衝突することによって、ハンマアセンブリ２００の回動が止まり、鍵１００がエンド位置に達する。また、センサ３００がハンマ側負荷部２１０によって押しつぶされると、センサ３００は、押しつぶされた量（押鍵量）に応じた複数の段階で、検出信号を出力する。なお、上述の通り、本実施形態の反力発生装置５０を用いることにより、鍵１００を押下したときに、上部電極３１０と、下部電極３２０とが当接しやすくなる。したがって、安定して音を発することができる。
【００４９】
＜第２実施形態＞
（２．反力発生装置５０−１の構成）
第２実施形態では、第１実施形態とは異なる構造を有する反力発生装置５０−１について説明する。なお、第１実施形態と同じ構成については、その記載を援用する。
【００５０】
図９に反力発生装置５０−１の鍵側面方向から見た断面図、を示す。また、図１０は領域Ａ１の拡大図である。図９および図１０に示すように、上部電極支持部３３０の上面３３０Ａには、複数の凸部３３５が設けられる。この例では、凸部３３５は、それぞれ異なる形状を有しているが、同一の形状を有してもよい。また、ハンマ側負荷部２１０に複数の凸部２７０および複数の凸部２７１が設けられる。凸部３３５と同様に、凸部２７１は、それぞれ異なる形状を有しているが、同一の形状を有してもよい。一方で、凸部２７０は、同一の形状を有しているが、これに限定されない。また、凸部２７０の先端部２７０Ａは、上部電極支持部３３０の上面３３０Ａと接触する。なお、先端部２７０Ａおよび上面３３０Ａは、それぞれ曲面を有する。このとき、凸部２７０の先端部２７０Ａと上部電極支持部３３０の上面３３０Ａが接触した平面を接平面３３３−１という。また、凸部２７１の先端部２７１Ａは、上部電極支持部３３０の凸部３３５の先端部３３５Ａと接触する。なお、先端部２７１Ａおよび先端部３３５Ａは、それぞれ曲面を有する。凸部２７１の先端部２７１Ａと凸部３３５の先端部３３５Ａが接触した平面を接平面３３３−２という。なお、先端部２７０Ａ、上面３３０Ａ、先端部２７１Ａおよび先端部３３５Ａは、それぞれ曲面を有する。接平面３３３−１と接平面３３３−２とは、同一平面でないが、回動支点５２１を含む。凸部２７０と上部電極支持部３３０および凸部２７１と凸部３３５は、それぞれ同時に接触する。ハンマ側負荷部２１０の凸部２７０は、接平面３３３−１に対して法線方向Ｎ１に移動する。また、凸部２７１は、接平面３３３−２に対して法線方向Ｎ２に移動する。
【００５１】
上述の構成を有することにより、アクチュエータとして機能するハンマ側負荷部２１０が反力発生部材である上部電極支持部３３０を押下する際に、異なる接平面を有しても、鍵１００のスケール方向への分力が生じない、または分力が抑えられる。このため、ハンマ側負荷部２１０は、回動しながら接平面３３３に対して常に垂直（法線方向）に移動する。つまり、上部電極支持部３３０および上部電極３１０の位置ずれが抑えられる。ゆえに、鍵１００を押下したときに、上部電極３１０と、下部電極３２０とが当接しやすくなる。以上より、鍵１００が押下されたときに、上部電極３１０と、下部電極３２０とが当接することができ、検出信号が確実に出力される。つまり、鍵盤装置１は、安定して音を発することができる。
【００５２】
＜第３実施形態＞
（３．反力発生装置５０−２の構成）
第３実施形態では、第２実施形態とは異なる構造を有する反力発生装置５０−２について説明する。なお、第１実施形態および第２実施形態と同じ構成については、その記載を援用する。
【００５３】
図１１は、反力発生装置５０−２のハンマ側負荷部２１０と上部電極支持部３３０との接触部分を、鍵側面方向から拡大して見た断面図である。図１１に示すように、上部電極支持部３３０の上面３３０Ａには、複数の凸部３３７が設けられる。この例では、凸部３３７は、それぞれ異なる形状を有しているが、同一の形状を有してもよい。また、ハンマ側負荷部２１０には複数の凸部２７０（凸部２７０−１、凸部２７０−２および凸部２７０−３）が設けられる。このとき、凸部２７０−３は、凸部２７０−１と凸部２７０−２とを結んだ線上にはない位置に設けられる。凸部２７０−１の先端部２７０−１Ａおよび凸部２７０−２の先端部２７０−２Ａは、上部電極支持部３３０の上面３３０Ａと接触する。なお、先端部２７０−１Ａ、先端部２７０−２Ａおよび上面３３０Ａは、それぞれ曲面を有してもよい。また、凸部２７０−３の先端部２７０−３Ａは、上部電極支持部３３０の凸部３３７の先端部３３７Ａと接触する。このとき、先端部２７０−３Ａおよび先端部３３７Ａについてもそれぞれ曲面を有してもよい。
【００５４】
ここで、凸部２７０−１と上部電極支持部３３０、凸部２７０−２と、上部電極支持部３３０および凸部２７０−３と凸部３３７は、それぞれ同時に接触する。このとき、先端部２７０Ａと、上面３３０Ａとの接触点を接点Ｐ１とする。また、先端部２７２Ａと、上面３３０Ａとの接触点を接点Ｐ２とする。また、先端部２７３Ａと、先端部３３７Ａとの接触点を接点Ｐ３とする。このとき、接点Ｐ１、接点Ｐ２および接点Ｐ３により形成される面（接平面３３８とする）を拡張した場合、接平面３３８には回動支点５２１が含まれる。上記において、ハンマ側負荷部２１０の凸部２７０は、接平面３３８に対して法線方向Ｎ３に移動する。
【００５５】
上述の構成を有することにより、アクチュエータとして機能するハンマ側負荷部２１０が反力発生部材である上部電極支持部３３０を押下する際に、鍵１００の長手方向（前後方向）への分力が生じない、または分力が抑えられる。このため、ハンマ側負荷部２１０は、回動しながら接平面３３３に対して常に垂直（法線方向）に移動することができる。つまり、上部電極支持部３３０および上部電極３１０の位置ずれが抑えられる。ゆえに、鍵１００を押下したときに、上部電極３１０と、下部電極３２０とが当接しやすくなる。したがって、鍵１００が押下されたときに、上部電極３１０と、下部電極３２０とが当接することができ、検出信号が確実に出力される。つまり、鍵盤装置１は、安定して音を発することができる。
【００５６】
＜変形例＞
以上、本発明の一実施形態について説明したが、本発明は以下のように、様々な態様で実施可能である。
【００５７】
本発明の第１実施形態では、ハンマ側負荷部２１０スケール方向にずれる例を示したが、鍵１００が配列する方向（スケール方向）や斜め方向にずれた場合、さらにハンマ側負荷部２１０が回転してねじれた場合にも適用される。
【００５８】
本発明の第１および第２実施形態では、ハンマ側負荷部２１０が接する例を示したが、鍵側負荷部１２０が直接的に上部電極支持部３３０と接し、押下してもよい。この場合、鍵側負荷部１２０は鍵１００の下面であってもよい。また、センサ３００の配置が図３に示す位置とは異なり、鍵１００の直下（例えば、図３において、前端鍵ガイド１５１と、側面鍵ガイド１５３とを結ぶ線の中間位置）にセンサ３００が配置されてもよい。また、鍵１００は図３に示された位置とは異なる場所でハンマアセンブリ２００と接続してもよい。この場合、回動支点は、側面鍵ガイド１５３側に設けられる。鍵側負荷部１２０は、演奏者が押鍵したときの影響を直接受けるために、上部電極支持部３３０がよりスケール方向にずれやすくなる。そのため、本発明を用いることによる効果を一層得ることができる。また、上記において、ハンマアセンブリ２００が設けられずに別の部材を用いられてもよい。
【００５９】
また、ハンマ側負荷部２１０または鍵側負荷部１２０が上部電極支持部３３０を押下しなくてもよい。例えば、ハンマ側負荷部２１０や鍵側負荷部１２０から分離した別の部材がアクチュエータとして機能としてもよい。この場合、アクチュエータは鍵に連動する可動部品であってもよい。
【００６０】
本発明の第１実施形態において、ハンマ側負荷部２１０の接触面２１５に凸部２７０が設けられる例を示したが、これに限定されない。接触面２１５には凸部２７０が設けられなくてもよい。この場合、接触面２１５と、上部電極支持部３３０の上面３３０Ａは、面接触してもよい。面接触する場合、接触面２１５と上部電極支持部３３０の上面３３０Ａとの接触面上における異なる３つの接点によって構成される平面に回動支点が含まれる。
【００６１】
また、面接触するときに接触面２１５と、上面３３０Ａとは、同じ形状の曲面を有するものであってもよい。また、面接触するときに接触面２１５と、上面３３０Ａとは、同じ形状の凹凸を有してもよい。また、接触面２１５または上面３３０Ａには、網目状に配置された凸部が設けられてもよい。これらにおいて、任意に設けられる複数の接平面が回動支点５２１を通ればよい。
【００６２】
また、本発明の第１実施形態〜第３実施形態において、上部電極および下部電極が設けられた反力発生装置を説明したが、これに限定されない。図１２は、反力発生装置５０−３の鍵前端側から見た断面図である。図１３は、反力発生装置５０−３の鍵側面から見た断面図である。反力発生装置５０−３において、ハンマ側負荷部２１０と反力発生部材３０１とは、上部電極３１０および下部電極３２０を除いてセンサ３００と同様の構成を有する。上述の構成を有することにより、ハンマ側負荷部２１０と反力発生部材３０１とは、複数の接平面３３３を有する。また、接平面３３３には、回動支点５２１が含まれる。アクチュエータとして機能するハンマ側負荷部２１０が反力発生部材３０１を押下する際に、鍵１００の長手方向（せん断応力の働く方向）への分力が生じない、または分力が抑えられる。このため、ハンマ側負荷部２１０は、回動しながら接平面３３３に対して常に垂直（法線方向）に移動する。これにより、反力発生部材が反力を適切なタイミングで発生させることができ、鍵盤装置におけるタッチ感を向上させることができる。また、上記において反力発生部材が異常な変形が防止されるため、耐久性が向上される。
【符号の説明】
【００６３】
１・・・鍵盤装置、１０・・・鍵盤アセンブリ、５０・・・反力発生装置、７０・・・音源装置、８０・・・スピーカ、９０・・・筐体、１００・・・鍵、１００ｂ・・・黒鍵、１００ｗ・・・白鍵、１２０・・・鍵側負荷部、１５１・・・前端鍵ガイド、１５３・・・側面鍵ガイド、１８０・・・接続部、１８１・・・板状可撓性部材、１８３・・・鍵側支持部、１８５・・・棒状可撓性部材、２００・・・ハンマアセンブリ、２１０・・・ハンマ側負荷部、２２０・・・軸支持部、２３０・・・錘部、２５０・・・ハンマ本体部、２７０・・・凸部、２７１・・・凸部、３００・・・センサ、３０１・・・反力発生部材、３１０・・・上部電極、３２０・・・下部電極、３３０・・・上部電極支持部、３３３・・・接平面、３３５・・・凸部、３４０・・・変形部、３５０・・・下部電極支持部、４１０・・・下側ストッパ、４３０・・・上側ストッパ、５００・・・フレーム、５１１・・・前端フレームガイド、５１３・・・側面フレームガイド、５２０・・・回動軸、５２１・・・回動支点、５８５・・・フレーム側支持部、７１０・・・信号変換部、７３０・・・音源部、７５０・・・出力部
【図１】
2018163258.tif 000003
【図２】
2018163258.tif 000004
【図３】
2018163258.tif 000005
【図４】
2018163258.tif 000006
【図５】
2018163258.tif 000007
【図６】
2018163258.tif 000008
【図７】
2018163258.tif 000009
【図８】
2018163258.tif 000010
【図９】
2018163258.tif 000011
【図１０】
2018163258.tif 000012
【図１１】
2018163258.tif 000013
【図１２】
2018163258.tif 000014
【図１３】
2018163258.tif 000015